(57)【要約】【課題】光軸方向の寸法を短縮しながら効率的に光束を均一化するライトトンネル等を用い、投影装置全体を小型化する。【解決手段】投影する光像と相似した矩形状の入射開口及び出射開口を有する光路を形成したライトトンネル本体41と、該光路内の入射開口寄りに配置し、光軸方向に平行な複数の平面全面が反射材で構成された断面十字状の反射部42とからなるライトトンネル31を備える。【選択図】      図３
2006308678.tif 000002
【特許請求の範囲】
【請求項１】
光源ランプと、
入射開口及び出射開口を有する光路を形成し、該光路内の上記入射開口寄りに、光軸方向に平行な複数の平面全面が反射材で構成された反射部を配置して、上記光源ランプからの光束の輝度分布を均一化する柱状体の均一化手段と
を具備したことを特徴とする光源装置。
【請求項２】
上記均一化手段は、光路が中空で内壁面全面に反射材が形成されたライトトンネルからなり、上記反射部は上記光路内の上記入射開口寄りに支持されたことを特徴とする請求項１記載の光源装置。
【請求項３】
上記均一化手段は、光路が透光部材で充填され、入射開口及び出射開口を除く周面が反射材として機能する透光ロッドでなり、上記反射部は上記透光部材の上記入射開口寄りに反射膜を埋設するか、または空気層で形成することを特徴とする請求項１記載の光源装置。
【請求項４】
上記反射部は、光軸に垂直な断面形状が矩形の光路の短辺及び長辺を夫々共にｎ等分（ｎ：２以上の自然数）する格子状に形成することを特徴とする請求項１記載の光源装置。
【請求項５】
上記反射部は、光軸に垂直な断面形状が矩形の光路の２組の対角間を夫々接続するように装架されたＸ字状に形成することを特徴とする請求項１記載の光源装置。
【請求項６】
上記反射部は、光軸に垂直な断面形状が矩形の光路の短辺に平行なｎ本（ｎ：自然数）の平行線部と長辺に平行なｎ本の平行線部とを光軸方向に沿って交互に配置してなることを特徴とする請求項１記載の光源装置。
【請求項７】
上記反射部は、光軸に垂直な断面形状が、矩形の光路の一方の対角を連結した対角線部と他方の対角を連結した対角線部とを光軸方向に沿って独立して配置してなることを特徴とする請求項１記載の光源装置。
【請求項８】
上記反射部は、光軸に垂直な断面形状が矩形の光路と相似な矩形となることを特徴とする請求項１記載の光源装置。
【請求項９】
上記均一化手段は、同一形状の反射部が光軸方向に沿って間隔をあけて複数組配置されたことを特徴とする請求項４乃至８いずれかに記載の光源装置。
【請求項１０】
上記均一化手段は、異なる形状の複数組の反射部が複合して配置されたことを特徴とする請求項４乃至８いずれかに記載の光源装置。
【請求項１１】
光源ランプと、
入射開口及び出射開口を有する光路を形成し、該光路中央で少なくとも１組の対辺の寸法を上記両開口に比して小さくなるように狭めて、上記光源ランプからの光束の輝度分布を均一化する柱状体の均一化手段と
を具備したことを特徴とする光源装置。
【請求項１２】
光源ランプと、
入射開口及び出射開口を有する光路を形成し、該光路内の上記入射開口寄りに、光軸方向に平行な複数の平面全面が反射材で構成された反射部を配置して、上記光源ランプからの光束の輝度分布を均一化する柱状体の均一化手段と、
この均一化手段で輝度分布が均一化された光束により投影光像を形成する光変調手段と、
この光変調手段で形成された投影光像を投影対象に向けて投影する投影手段と
を具備したことを特徴とする投影装置。
【請求項１３】
光源ランプと、
入射開口及び出射開口を有する光路を形成し、該光路中央で少なくとも１組の対辺の寸法を上記両開口に比して小さくなるように狭めて、上記光源ランプからの光束の輝度分布を均一化する柱状体の均一化手段と、
この均一化手段で輝度分布が均一化された光束により投影光像を形成する光変調手段と、
この光変調手段で形成された投影光像を投影対象に向けて投影する投影手段と
を具備したことを特徴とする投影装置。
【発明の詳細な説明】
【技術分野】
【０００１】
本発明は、データプロジェクタやホームシアター光源装置及びこの光源装置を使用する投影装置に関する。
【背景技術】
【０００２】
従来、パーソナルコンピュータと接続することで各種プレゼンテーションやデモンストレーション等を行なうことが可能なプロジェクタ装置がより一層身近になりつつある。
【０００３】
この種のプロジェクタ装置で、光像を形成する素子として透過型のカラー液晶パネルを用いたものに比して、マイクロミラー素子と呼ばれる光半導体素子を用いたＤＬＰ（Ｄｉｇｉｔａｌ  Ｌｉｇｈｔ  Ｐｒｏｃｅｓｓｉｎｇ）（登録商標）方式のものが、より明るい画像投影が得られるために普及しつつある。
【０００４】
ＤＬＰ（登録商標）方式のプロジェクタ装置は、光源ランプからの高輝度白色光を、同一円周状にＲｅｄ（赤），Ｇｒｅｅｎ（緑），Ｂｌｕｅ（青）等の各カラーフィルタを区分配置したカラーホイールと呼ばれる円盤状の部材を回転駆動して時分割で着色（正確には択一的に当該色成分の光のみを透過）させ、ライトトンネルあるいはロッドインテグレータと呼称される角筒状の光学部材を介して光束分布を均一化した後に、その色成分に対応した光像を形成するべく表示駆動されるマイクロミラー素子で反射させ、その反射光を投影光学系のレンズを介して投影対象のスクリーン等に投影するようになるものである。
【０００５】
図１２は、一般的なライトトンネル１の構成を示すもので、投影光像と等しいアスペクト比の開口を有する中空の矩形筒状体でなり、その内面全面が反射面となるもので、本図では光軸ＬＸに沿って図中の右手前側から図示しないカラーホイールで着色された光Ｌが入射し、図中の左奥側で出射する。
【０００６】
このライトトンネル１の内部を通過する過程において、一様な平行光ではない、カラーホイールを透過してきた光Ｌがライトトンネル１内面で反射されることで、出射時には光束の分布がほぼ均等化される。
【０００７】
出射光の光束の分布が均等化されるためには、ライトトンネル１の内面で透過光がそれぞれ数回程度反射されて全体として散乱光となる必要があり、開口の大きさに比して光軸ＬＸ方向に、ある程度の長さが必要となる。
【０００８】
因みに、光路が上記ライトトンネルのような中空ではなく、透光材で構成されているロッドインテグレータを備えたプロジェクタにおいて、光の利用効率を容易に向上させるべく、ロッドインテグレータの光射出面から射出される光の上記光射出面に垂直な中心軸に対する最大傾斜角を、上記光源装置から射出される集光光の上記光入射面に垂直な中心軸に対する最大傾斜角よりも小さくするための傾斜角変更部を当該ロッドインテグレータに備えるようにした技術が記載されている。（例えば、特許文献１）
【特許文献１】特開２００４−０３８０８６号公報
【発明の開示】
【発明が解決しようとする課題】
【０００９】
上記特許文献１に記載されたロッドインテグレータの技術を含めて、上述した如く光束の輝度分布を均一化するためにはどうしてもライトトンネル（またはロッドインテグレータ）で軸方向の長さがある程度必要となる。
【００１０】
したがって、ライトトンネルの存在がプロジェクタ装置全体の小型化を阻害する要因の一つとなりうる。
【００１１】
また、反対に、ライトトンネルが充分な軸長が確保できない場合には光束の均一化が不完全となり、例えば光源ランプにフリッカが生じた場合には、入射開口部への光束変動をライトトンネルで吸収しきれず、出射される投影画像にちらつきを生じる、という不具合を生じることになる。
【００１２】
本発明は上記のような実情に鑑みてなされたもので、その目的とするところは、光軸方向の寸法を短縮しながら効率的に光束を均一化するライトトンネル等を用いて、全体の小型化に寄与することが可能な光源装置及び投影装置を提供することにある。
【課題を解決するための手段】
【００１３】
請求項１記載の発明は、光源ランプと、入射開口及び出射開口を有する光路を形成し、該光路内の上記入射開口寄りに、光軸方向に平行な複数の平面全面が反射材で構成された反射部を配置して、上記光源ランプからの光束の輝度分布を均一化する柱状体の均一化手段とを具備したことを特徴とする。
【００１４】
請求項２記載の発明は、上記請求項１記載の発明において、上記均一化手段は、光路が中空で内壁面全面に反射部材が形成されたライトトンネルからなり、上記反射部は上記光路内の上記入射開口寄りに支持されたことを特徴とする。
【００１５】
請求項３記載の発明は、上記請求項１記載の発明において、上記均一化手段は、光路が透光部材で充填され、入射開口及び出射開口を除く周面が反射部材として機能する透光ロッドでなり、上記反射部は上記透光部材の上記入射開口寄りに反射膜を埋設するか、または空気層で形成することを特徴とする。
【００１６】
請求項４記載の発明は、上記請求項１記載の発明において、上記反射部は、光軸に垂直な断面形状が矩形の光路の短辺及び長辺を夫々共にｎ等分（ｎ：２以上の自然数）する格子状に形成することを特徴とする。
【００１７】
請求項５記載の発明は、上記請求項１記載の発明において、上記反射部は、光軸に垂直な断面形状が矩形の光路の２組の対角間を夫々接続するように装架されたＸ字状に形成することを特徴とする。
【００１８】
請求項６記載の発明は、上記請求項１記載の発明において、上記反射部は、光軸に垂直な断面形状が矩形の光路の短辺に平行なｎ本（ｎ：自然数）の平行線部と長辺に平行なｎ本の平行線部とを光軸方向に沿って交互に配置してなることを特徴とする。
【００１９】
請求項７記載の発明は、上記請求項１記載の発明において、上記反射部は、光軸に垂直な断面形状が、矩形の光路の一方の対角を連結した対角線部と他方の対角を連結した対角線部とを光軸方向に沿って独立して配置してなることを特徴とする。
【００２０】
請求項８記載の発明は、上記請求項１記載の発明において、上記反射部は、光軸に垂直な断面形状が矩形の光路と相似な矩形となることを特徴とする。
【００２１】
請求項９記載の発明は、上記請求項４乃至８いずれかに記載の発明において、上記均一化手段は、同一形状の反射部が光軸方向に沿って間隔をあけて複数組配置されたことを特徴とする。
【００２２】
請求項１０記載の発明は、上記請求項４乃至８いずれかに記載の発明において、上記均一化手段は、異なる形状の複数組の反射部が複合して配置されたことを特徴とする。
【００２３】
請求項１１記載の発明は、光源ランプと、入射開口及び出射開口を有する光路を形成し、該光路中央で少なくとも１組の対辺の寸法を上記両開口に比して小さくなるように狭めて、上記光源ランプからの光束の輝度分布を均一化する柱状体の均一化手段とを具備したことを特徴とする。
【００２４】
請求項１２記載の発明は、光源ランプと、入射開口及び出射開口を有する光路を形成し、該光路内の上記入射開口寄りに、光軸方向に平行な複数の平面全面が反射材で構成された反射部を配置して、上記光源ランプからの光束の輝度分布を均一化する柱状体の均一化手段と、この均一化手段で輝度分布が均一化された光束により投影光像を形成する光変調手段と、この光変調手段で形成された投影光像を投影対象に向けて投影する投影手段とを具備したことを特徴とする。
【００２５】
請求項１３記載の発明は、光源ランプと、入射開口及び出射開口を有する光路を形成し、該光路中央で少なくとも１組の対辺の寸法を上記両開口に比して小さくなるように狭めて、上記光源ランプからの光束の輝度分布を均一化する柱状体の均一化手段と、この均一化手段で輝度分布が均一化された光束により投影光像を形成する光変調手段と、この光変調手段で形成された投影光像を投影対象に向けて投影する投影手段とを具備したことを特徴とする。
【発明の効果】
【００２６】
請求項１記載の発明によれば、入射開口寄りに設けた反射部により入射直後の光束の散乱を助長することで、均一化手段内の経過に伴う反射回数を増加させて、光軸方向の寸法を短縮しながら充分に輝度光束を均一化することで、全体の小型化に寄与することが可能となる。
【００２７】
請求項２記載の発明によれば、上記請求項１記載の発明の効果に加えて、反射部は入射開口側で支持可能な程度の機械的強度を有するアルミニウム等の金属薄板を配設した中空のライトトンネルとすることで、比較的安価に光束の輝度分布の均一化が可能となる。
【００２８】
請求項３記載の発明によれば、上記請求項１記載の発明の効果に加えて、反射部が自身を光路内で支持するような構造とする必要がないために形状の自由度が高く、また光軸に垂直な断面方向の厚さを極力小さくできるので過光損失を最小限に抑えることができ、適正な屈折率の材質の透光ロッドを選定することで、光束の輝度分布の均一化をきわめて高効率に実施し、当該部位の大幅な短縮化を図ることが可能となる。
【００２９】
請求項４乃至８記載の発明によれば、上記請求項１記載の発明の効果に加えて、夫々反射部の形状に応じて光源側で分割されたエリア内の光束の輝度分布の均一化が図られた後に出射側のエリアが分割されていない部分で光像全体にわたる光束の輝度分布の均一化が図られることになる。
【００３０】
請求項９記載の発明によれば、上記請求項４乃至８いずれかに記載の発明の効果に加えて、同一形状の反射部を間隔をあけて複数組配置することでより効率的に光束の輝度分布の均一化を図り、均一化を行なう部位のさらなる短縮化を図ることが可能となる。
【００３１】
請求項１０記載の発明によれば、上記請求項４乃至８いずれかに記載の発明の効果に加えて、形状の異なる複数組の反射部を組合わせることで、より複雑に分割された各エリア内の光束の輝度分布の均一化が図られた後に出射側のエリアが分割されていない部分で光像全体にわたる光束の輝度分布の均一化が図られることになり、均一化を行なう部位のさらなる短縮化を図ることが可能となる。
【００３２】
請求項１１記載の発明によれば、均一化手段の前半部分で光路が狭くなる光源側で光束密度が高められると共にその輝度分布の均一化が図られ、後半部分で光路が広くなって輝度分布が均一化された光束が開放され、元の密度に戻るようになるので、効率的に光束の輝度分布の均一化を図り、均一化を行なう部位のさらなる短縮化を図ることが可能となる。
【００３３】
請求項１２記載の発明によれば、均一化手段の入射開口寄りに設けた反射部により入射直後の光束の散乱を助長することで均一化手段内の経過に伴う反射回数を増加させて、光軸方向の寸法を短縮しながら充分に光束の輝度分布のを均一化することで、光源ランプを含む光源部をコンパクトにすることができ、投影装置全体の小型化に寄与できる。
【００３４】
請求項１３記載の発明によれば、均一化手段の前半部分で光路が狭くなる光源側で光束密度が高められると共にその均一化が図られ、後半部分で光路が広くなって均一化された光束が開放され、元の密度に戻るようになるので、効率的に光束の輝度分布の均一化を図り、均一化を行なう部位のさらなる短縮化を図ることが可能となるため、光源ランプを含む光源部をコンパクトにすることができ、投影装置全体の小型化に寄与できる。
【発明を実施するための最良の形態】
【００３５】
以下本発明をプロジェクタ装置に適用した場合の実施の一形態について図面を参照して説明する。
【００３６】
図１は、同実施の形態に係るプロジェクタ装置１０の主として筐体前面及び上面の外観構成を示すものである。同図に示すように、直方体状の本体ケーシング１１の前面に、投影レンズ１２、測距センサ１３、及びＩｒ受信部１４が配設される。
【００３７】
投影レンズ１２は、後述するマイクロミラー素子でなる空間的光変調素子で形成された光像を拡大してスクリーン等の対象に投影するためのものであり、ここでは合焦位置及びズーム位置（投影画角）を任意に可変できるものとする。
【００３８】
測距センサ１３は、２対の位相差センサの一方が水平方向、他方が垂直方向となるように互いに直交する方向に配置され、それぞれ被写体像に対する視差から三角測距の原理に基づいて投影対象までの距離を一次元的な検出ラインに沿って測定する。
【００３９】
Ｉｒ受信部１４は、図示しないこのプロジェクタ装置１０のリモートコントローラからのキー操作信号が重畳された赤外光（Ｉｒ）信号を受信する。
【００４０】
また、本体ケーシング１１の上面には、キースイッチ部１５及びスピーカ１６が配設される。  
キースイッチ部１５は、例えば電源キー、ＡＦ／ＡＫ（Ａｕｔｏｍａｔｉｃ  Ｆｏｃｕｓ／Ａｕｔｏｍａｔｉｃ  Ｋｅｙ−ｓｔｏｎｅ  ｃｏｒｒｅｃｔｉｏｎ：自動合焦／自動台形補正）キー、ズームキー、入力選択キー、カーソル（「↑」「↓」「←」「→」）キー、「Ｅｎｔｅｒ」キー等からなるもので、同様のキーがこのプロジェクタ装置１０のリモートコントローラにも配設されるものとする。
【００４１】
スピーカ１６は、入力された音声信号及び動作時のビープ音等を拡声放音する。
【００４２】
また、図示はしないが本体ケーシング１１の背面には、入出力コネクタ部、Ｉｒ受信部、及びＡＣアダプタ接続部が配設される。  
入出力コネクタ部は、例えばパーソナルコンピュータ等の外部装置との接続のためのＵＳＢ端子、映像入力用のミニＤ−ＳＵＢ端子、Ｓ端子、及びＲＣＡ端子と、音声入力用のステレオミニ端子等からなる。
【００４３】
Ｉｒ受信部は、上記Ｉｒ受信部１４と同様に、図示しないリモートコントローラからのキー操作信号が重畳された赤外光（Ｉｒ）信号を受信する。  
ＡＣアダプタ接続部は、電源となる図示しないＡＣアダプタからのケーブルを接続する。
【００４４】
次に図２により上記プロジェクタ装置１０の電子回路の機能構成について説明する。図中、入出力コネクタ部２１より入力された各種規格の画像信号が、入出力インタフェース（Ｉ／Ｆ）２２、システムバスＳＢを介して画像変換部２３で所定のフォーマットの画像信号に統一された後に、投影エンコーダ２４へ送られる。
【００４５】
投影エンコーダ２４は、送られてきた画像信号をビデオＲＡＭ２５に展開記憶させた上でこのビデオＲＡＭ２５の記憶内容からビデオ信号を生成して投影駆動部２６に出力する。
【００４６】
この投影駆動部２６は、送られてきた画像信号に対応して適宜フレームレート、例えば例えば６０［フレーム／秒］と色成分の分割数、及び表示階調数を乗算した、より高速な時分割駆動で空間的光変調素子（ＳＯＭ）である例えばマイクロミラー素子２７を表示駆動する。
【００４７】
このマイクロミラー素子２７に対して、リフレクタ２８内に配置された光源ランプ２９が出射する高輝度の白色光を、カラーホイール３０を介して適宜原色に着色し、ライトトンネル３１で輝度分布を均一化した後にミラー３２で全反射して照射することで、その反射光で光像が形成され、上記投影レンズ１２を介してここでは図示しないスクリーンに投影表示される。
【００４８】
しかるに、光源ランプ２９の点灯駆動と、カラーホイール３０を回転駆動するモータ（Ｍ）３３はいずれも投影光処理部３４からの供給電圧値に基づいて動作する。
【００４９】
上記各回路のすべての動作制御を司るのが制御部３５である。この制御部３５は、ＣＰＵと、投影動作時に該ＣＰＵで実行される動作プログラムを記憶した不揮発性メモリ、及びワークメモリ等により構成される。
【００５０】
この制御部３５にはまた、上記システムバスＳＢを介して測距処理部３６及び音声処理部３７が接続される。
【００５１】
測距処理部３６は、上記２対の位相差センサからなる測距センサ１３を制御駆動し、それらの検出出力から任意の点位置までの距離を算出するもので、算出された距離値データは上記制御部３５へ送られる。
【００５２】
音声処理部３７は、ＰＣＭ音源等の音源回路を備え、投影動作時に与えられる音声データをアナログ化し、上記スピーカ１６を駆動して拡声放音し、あるいは必要によりビープ音等を発生させる。
【００５３】
なお、上記キースイッチ（ＳＷ）部１５における各キー操作信号が直接制御部３５に入力されると共に、Ｉｒ受信部３８からの信号も直接制御部３５に入力される。このＩｒ受信部３８は、上記Ｉｒ受信部１４及び本体ケーシング１１の背面側に設けられるＩｒ受信部を含み、その赤外光受信信号をコード信号化して制御部３５に送出する。
【００５４】
［第１の構成例］  
次に上記ライトトンネル３１の具体的な構成について例示する。  
図３は、本実施の形態に係るライトトンネル３１の第１の構成例を示すものである。  
図３（Ａ）に示すようにこの第１の構成例でライトトンネル３１は、その内面全面が反射面とされた、上記投影レンズ１２で投影する光像と同一のアスペクト比、例えば３：４の矩形開口を形成した矩形筒状のライトトンネル本体４１に対し、図示しない光源ランプ２９からの白色光が入射される、図中右手前側の入射開口内に一組の反射部４２を挿入して支持固定することで構成される。  
反射部４２は、例えば表面全面が反射面となるように鏡面加工された２枚のアルミニウム等の金属薄板を組み合わせて構成される。
【００５５】
図３（Ｂ）は、ライトトンネル本体４１の入射開口内に上記反射部４２を挿入して支持固定した状態のライトトンネル３１を示す。ここで反射部４２は、図示する如く光軸に垂直な断面での形状が十字状となり、ライトトンネル３１内の矩形の光路を縦横各２等分して計４個の同形状の空間に分割する。
【００５６】
このような構成にあって、光源ランプ２９及びリフレクタ２８からの光がこのライトトンネル３１に入射される際、その光束はまず反射部４２により４つの空間に分割され、夫々の分割された空間内で反射部４２とライトトンネル本体４１の内面により短い距離での反射を繰返す。
【００５７】
このとき、光源ランプ２９から直接入射される、比較的光軸に平行な光はほとんど反射することなしに当該空間を通過するのに比して、一旦リフレクタ２８で反射されてからこのライトトンネル３１に入射される光は、光軸に対して大きく偏向しており、その偏向の度合いが大きい程、当該空間内で多く反射を繰返すことになり、これらの光が混在することで４つの各分割空間毎に光束の輝度分布の均一化が図られる。
【００５８】
その後、上記反射部４２で分割された４つの空間を抜けた各光束が、ライトトンネル本体４１の光路後半で今度は一つの空間内で適宜壁面で反射してから出射することで、光束全体での輝度分布の均一化が図られることとなり、後段の図示しないミラー３２、モータ３３を介してマイクロミラー素子２７へ供される。
【００５９】
このように、入射開口側に反射部４２を設けることで、反射部４２がない場合に比して光束の輝度分布の均一化をより促進することができる。そのため、一定の輝度分布の均一化が得られればよいのであれば、ライトトンネル３１の軸方向の寸法をより短縮することが可能となる。
【００６０】
［第２の構成例］  
図４は、本実施の形態に係るライトトンネル３１の第２の構成例を示すものである。  
図４（Ａ）に示すようにこの第２の構成例でライトトンネル３１は、その内面全面が反射面とされた、上記投影レンズ１２で投影する光像と同一のアスペクト比、例えば３：４の矩形開口を形成した矩形筒状のライトトンネル本体４１に対し、図示しない光源ランプ２９からの白色光が入射される、図中右手前側の入射開口内に２組の反射部４３ａ，４３ｂを光軸に沿って間隔をあけて挿入し、支持固定することで構成される。  
これら反射部４３ａ，４３ｂはそれぞれ、例えば表面全面が反射面となるように鏡面加工された２枚のアルミニウム等の金属薄板を組み合わせて構成される。
【００６１】
図４（Ｂ）は、ライトトンネル本体４１の入射開口内に上記反射部４３ａ，４３ｂをそれぞれ挿入して支持固定した状態のライトトンネル３１を示す。ここで反射部４３ａ，４３ｂはそれぞれ、図示する如く光軸に垂直な断面での形状が十字状となり、ライトトンネル３１内の当該部位では矩形の光路を縦横各２等分して計４個の同形状の空間に分割するもので、上記図３で示した反射部４２に比して光軸方向の寸法を大幅に短縮したものとしている。
【００６２】
このような構成にあって、光源ランプ２９及びリフレクタ２８からの光がこのライトトンネル３１に入射される際、その光束はまず入射開口側の反射部４３ａにより４つの空間に分割され、夫々の分割された空間内で反射部４３ａとライトトンネル本体４１の内面により短い距離での反射を繰返す。
【００６３】
このとき、光源ランプ２９から直接入射される、比較的光軸に平行な光はほとんど反射することなしに当該空間を通過するのに比して、一旦リフレクタ２８で反射されてからこのライトトンネル３１に入射される光は、光軸に対して大きく偏向しており、その偏向の度合いが大きい程、当該空間内で多く反射を繰返すことになり、これらの光が混在することで４つの各分割空間毎に光束の輝度分布の均一化が図られる。
【００６４】
その後、上記反射部４３ａで分割された４つの空間を抜けた各光束が、今度は一つの空間内で適宜壁面で反射してから出射することで、光束全体での輝度分布の均一化が図られるもので、それからさらに反射部４３ｂに至って、再び４つの空間に分割されて、各分割空間毎に光束の輝度分布の均一化が図られる。
【００６５】
そして、反射部４３ｂで分割された４つの空間を抜けた各光束がライトトンネル本体４１の光路後半で一つの空間内で適宜壁面で反射し、ライトトンネル３１の出射開口より出射することで、最終的に光束全体での輝度分布の均一化が図られるもので、その光束は後段の図示しないミラー３２、モータ３３を介してマイクロミラー素子２７へ供される。
【００６６】
なお、上記第１及び第２のライトトンネル３１の構成例では、図３及び図４に示したように反射部４２，４３ａ，４３ｂが断面十字状、すなわち縦横各１本が互いの中央で交差する断面形状を有するものとして説明したが、本発明はこれに限らず、断面形状が矩形の光路の、短辺及び長辺を夫々共にｎ等分（ｎ：２以上の自然数）する如く縦横各（ｎ−１）本が互いに直交するような格子状の断面に形成するものとしてもよい。
【００６７】
このように、入射開口側に反射部４３ａ，４３ｂを設けることで、反射部４３ａ，４３ｂがない場合に比して光束の輝度分布の均一化をより促進することができる。そのため、一定の輝度分布の均一化が得られればよいのであれば、ライトトンネル３１の軸方向の寸法をより短縮することが可能となる。
【００６８】
［第３の構成例］  
図５は、本実施の形態に係るライトトンネル３１の第３の構成例を示すものである。  
図５（Ａ）に示すようにこの第３の構成例でライトトンネル３１は、その内面全面が反射面とされた、上記投影レンズ１２で投影する光像と同一のアスペクト比、例えば３：４の矩形開口を形成した矩形筒状のライトトンネル本体４１に対し、図示しない光源ランプ２９からの白色光が入射される、図中右手前側の入射開口内に、上記図３の反射部４２を縦横２片に分割した一組の反射部４４ａ，４４ｂを挿入して支持固定することで構成される。  
反射部４４ａ，４４ｂは、例えば表面全面が反射面となるように鏡面加工された２枚のアルミニウム等の金属薄板により構成される。
【００６９】
図５（Ｂ）は、ライトトンネル本体４１の入射開口内に上記反射部４４ａ，４４ｂを挿入して支持固定した状態のライトトンネル３１を示す。ここで一方の反射部４４ａは、図示する如く光軸に垂直な断面で矩形の光路の長辺と平行となり、該光路を縦に２等分するものであり、他方、反射部４４ａの奥側に隣接して位置する反射部４４ｂは、光軸に垂直な断面で矩形の光路の短辺と平行となり、該光路を横に２等分する。
【００７０】
このような構成にあって、光源ランプ２９及びリフレクタ２８からの光がこのライトトンネル３１に入射される際、その光束はまず反射部４４ａにより縦方向に２つの空間に分割され、夫々の分割された空間内で反射部４４ａとライトトンネル本体４１の内面により短い距離での反射を繰返す。
【００７１】
このとき、光源ランプ２９から直接入射される、比較的光軸に平行な光はほとんど反射することなしに当該空間を通過するのに比して、一旦リフレクタ２８で反射されてからこのライトトンネル３１に入射される光は、光軸に対して大きく偏向しており、その偏向の度合いが大きい程、当該空間内で多く反射を繰返すことになり、これらの光が混在することで２つの各分割空間毎に光束の輝度分布の均一化が図られる。
【００７２】
その後、反射部４４ａで分割された２つの空間を抜けた各光束が、今度は反射部４４ａと直交する反射部４４ｂにより横方向に２つの空間に分割され、夫々の分割された空間内で反射部４４ｂとライトトンネル本体４１の内面により短い距離での反射を繰返し、これら２つの各分割空間毎に光束の輝度分布の均一化が図られる。
【００７３】
そして、反射部４４ｂで２つに分割された空間を抜けた各光束が、ライトトンネル本体４１の光路後半で今度は一つの空間内で適宜壁面で反射してから出射することで、光束全体での輝度分布の均一化が図られることとなり、後段の図示しないミラー３２、モータ３３を介してマイクロミラー素子２７へ供される。
【００７４】
このように、入射開口側に反射部４４ａ，４４ｂを設けることで、反射部４４ａ，４４ｂがない場合に比して光束の輝度分布の均一化をより促進することができる。そのため、一定の輝度分布の均一化が得られればよいのであれば、ライトトンネル３１の軸方向の寸法をより短縮することが可能となる。
【００７５】
［第４の構成例］  
図６は、本実施の形態に係るライトトンネル３１の第４の構成例を示すものである。  
図６（Ａ）に示すようにこの第４の構成例でライトトンネル３１は、その内面全面が反射面とされた、上記投影レンズ１２で投影する光像と同一のアスペクト比、例えば３：４の矩形開口を形成した矩形筒状のライトトンネル本体４１に対し、図示しない光源ランプ２９からの白色光が入射される、図中右手前側の入射開口内に、上記図５の反射部４４ａ，４４ｂの光軸方向の奥行きを浅くしたような２組の反射部４５ａ〜４５ｄを挿入して支持固定することで構成される。  
反射部４５ａ〜４５ｄは、例えば表面全面が反射面となるように鏡面加工された４枚のアルミニウム等の金属薄板により構成される。
【００７６】
図６（Ｂ）は、ライトトンネル本体４１の入射開口内に上記反射部４５ａ〜４５ｄを挿入して支持固定した状態のライトトンネル３１を示す。ここで反射部４５ａ，４５ｃは、図示する如く光軸に垂直な断面で矩形の光路の長辺と平行となり、該光路を縦に２等分するものであり、一方、これら反射部４５ａ，４５ｃと交互に配置される反射部４５ｂ，４５ｄは、光軸に垂直な断面で矩形の光路の短辺と平行となり、該光路を横に２等分する。
【００７７】
このような構成にあって、光源ランプ２９及びリフレクタ２８からの光がこのライトトンネル３１に入射される際、その光束はまず反射部４５ａにより縦方向に２つの空間に分割され、夫々の分割された空間内で反射部４５ａとライトトンネル本体４１の内面により短い距離での反射を繰返す。
【００７８】
このとき、光源ランプ２９から直接入射される、比較的光軸に平行な光はほとんど反射することなしに当該空間を通過するのに比して、一旦リフレクタ２８で反射されてからこのライトトンネル３１に入射される光は、光軸に対して大きく偏向しており、その偏向の度合いが大きい程、当該空間内で多く反射を繰返すことになり、これらの光が混在することで２つの各分割空間毎に光束の輝度分布の均一化が図られる。
【００７９】
その後、反射部４５ａで分割された２つの空間を抜けた各光束が、今度は反射部４５ａと直交する反射部４５ｂにより横方向に２つの空間に分割され、夫々の分割された空間内で反射部４５ｂとライトトンネル本体４１の内面により短い距離での反射を繰返し、これら２つの各分割空間毎に光束の輝度分布の均一化が図られる。
【００８０】
次いで、反射部４５ｂで分割された２つの空間を抜けた各光束が、今度は反射部４５ａと同様の反射部４５ｃにより再び縦方向に２つの空間に分割され、夫々の分割された空間内で反射部４５ｃとライトトンネル本体４１の内面により短い距離での反射を繰返し、これら２つの各分割空間毎に光束の輝度分布の均一化が図られる。
【００８１】
そして、反射部４５ｃで分割された２つの空間を抜けた各光束が、今度は反射部４５ｂと同様の反射部４５ｄにより横方向に２つの空間に分割され、夫々の分割された空間内で反射部４５ｄとライトトンネル本体４１の内面により短い距離での反射を繰返し、これら２つの各分割空間毎に光束の輝度分布の均一化が図られる。
【００８２】
最後に、反射部４５ｄで２つに分割された空間を抜けた各光束が、ライトトンネル本体４１の光路後半で今度は一つの空間内で適宜壁面で反射してから出射することで、光束全体での輝度分布の均一化が図られることとなり、後段の図示しないミラー３２、モータ３３を介してマイクロミラー素子２７へ供される。
【００８３】
このように、入射開口側に反射部４５ａ〜４５ｄを設けることで、反射部４５ａ〜４５ｄがない場合に比して光束の輝度分布の均一化をより促進することができる。そのため、一定の輝度分布の均一化が得られればよいのであれば、ライトトンネル３１の軸方向の寸法をより短縮することが可能となる。
【００８４】
［第５の構成例］  
図７は、本実施の形態に係るライトトンネル３１の第５の構成例を示すものである。  
図７（Ａ）に示すようにこの第５の構成例でライトトンネル３１は、その内面全面が反射面とされた、上記投影レンズ１２で投影する光像と同一のアスペクト比、例えば３：４の矩形開口を形成した矩形筒状のライトトンネル本体４１に対し、図示しない光源ランプ２９からの白色光が入射される、図中右手前側の入射開口内に一組の反射部４６を挿入して支持固定することで構成される。  
反射部４６は、例えば表面全面が反射面となるように鏡面加工された２枚のアルミニウム等の金属薄板を組み合わせて構成される。
【００８５】
図７（Ｂ）は、ライトトンネル本体４１の入射開口内に上記反射部４６を挿入して支持固定した状態のライトトンネル３１を示す。ここで反射部４６は、図示する如く光軸に垂直な断面での形状が、矩形の光路の２組の各対角間を夫々接続するように装架されたＸ字状に形成されたものであり、ライトトンネル３１内の矩形の光路を計４個の各３角柱状の空間に分割する。
【００８６】
このような構成にあって、光源ランプ２９及びリフレクタ２８からの光がこのライトトンネル３１に入射される際、その光束はまず反射部４６により４つの空間に分割され、夫々の分割された空間内で反射部４６とライトトンネル本体４１の内面により短い距離での反射を繰返す。
【００８７】
このとき、光源ランプ２９から直接入射される、比較的光軸に平行な光は少ない反射回数で当該空間を通過するのに比して、一旦リフレクタ２８で反射されてからこのライトトンネル３１に入射される光は、光軸に対して大きく偏向しており、その偏向の度合いが大きい程、当該空間内で多く反射を繰返すことになり、これらの光が混在することで４つの各分割空間毎に光束の輝度分布の均一化が図られる。
【００８８】
その後、上記反射部４６で分割された４つの空間を抜けた各光束が、ライトトンネル本体４１の光路後半で今度は一つの空間内で適宜壁面で反射してから出射することで、光束全体での輝度分布の均一化が図られることとなり、後段の図示しないミラー３２、モータ３３を介してマイクロミラー素子２７へ供される。
【００８９】
このように、入射開口側に反射部４６を設けることで、反射部４６がない場合に比して光束の輝度分布の均一化をより促進することができる。そのため、一定の輝度分布の均一化が得られればよいのであれば、ライトトンネル３１の軸方向の寸法をより短縮することが可能となる。
【００９０】
［第６の構成例］  
図８は、本実施の形態に係るライトトンネル３１の第６の構成例を示すものである。  
図８（Ａ）に示すようにこの第６の構成例でライトトンネル３１は、その内面全面が反射面とされた、上記投影レンズ１２で投影する光像と同一のアスペクト比、例えば３：４の矩形開口を形成した矩形筒状のライトトンネル本体４１に対し、図示しない光源ランプ２９からの白色光が入射される、上記図７の断面Ｘ字状の反射部４６を２片に分割した一組の反射部４７ａ，４７ｂを挿入して支持固定することで構成される。  
反射部４７ａ，４７ｂは、例えば表面全面が反射面となるように鏡面加工された２枚のアルミニウム等の金属薄板により構成される。
【００９１】
図８（Ｂ）は、ライトトンネル本体４１の入射開口内に上記反射部４７ａ，４７ｂを挿入して支持固定した状態のライトトンネル３１を示す。ここで一方の反射部４７ａは、図示する如く光軸に垂直な断面で矩形の光路の１対角、図では右上角と左下角を接続して該光路を斜めに２等分するものであり、他方、この反射部４７ａの奥側に隣接して位置する反射部４７ｂは、光軸に垂直な断面で矩形の光路のもう一方の１対角、図では左上角と右下角を接続して該光路を斜めに２等分する。
【００９２】
このような構成にあって、光源ランプ２９及びリフレクタ２８からの光がこのライトトンネル３１に入射される際、その光束はまず反射部４７ａにより左上側と右下側の２つの空間に分割され、夫々の分割された空間内で反射部４７ａとライトトンネル本体４１の内面により短い距離での反射を繰返す。
【００９３】
このとき、光源ランプ２９から直接入射される、比較的光軸に平行な光はほとんど反射することなしに当該空間を通過するのに比して、一旦リフレクタ２８で反射されてからこのライトトンネル３１に入射される光は、光軸に対して大きく偏向しており、その偏向の度合いが大きい程、当該空間内で多く反射を繰返すことになり、これらの光が混在することで２つの各分割空間毎に光束の輝度分布の均一化が図られる。
【００９４】
その後、反射部４７ａで分割された２つの空間を抜けた各光束が、今度は反射部４７ａと相互に中央で交差する反射部４７ｂにより右上側と左下側の２つの空間に分割され、夫々の分割された空間内で反射部４７ｂとライトトンネル本体４１の内面により短い距離での反射を繰返し、これら２つの各分割空間毎に光束の輝度分布の均一化が図られる。
【００９５】
そして、反射部４７ｂで２つに分割された空間を抜けた各光束が、ライトトンネル本体４１の光路後半で今度は一つの空間内で適宜壁面で反射してから出射することで、光束全体での輝度分布の均一化が図られることとなり、後段の図示しないミラー３２、モータ３３を介してマイクロミラー素子２７へ供される。
【００９６】
このように、入射開口側に反射部４７ａ，４７ｂを設けることで、反射部４７ａ，４７ｂがない場合に比して光束の輝度分布の均一化をより促進することができる。そのため、一定の輝度分布の均一化が得られればよいのであれば、ライトトンネル３１の軸方向の寸法をより短縮することが可能となる。
【００９７】
［第７の構成例］  
図９は、本実施の形態に係るライトトンネル３１の第７の構成例を示すものである。  
図９（Ａ）に示すようにこの第７の構成例でライトトンネル３１は、その内面全面が反射面とされた、上記投影レンズ１２で投影する光像と同一のアスペクト比、例えば３：４の矩形開口を形成した矩形筒状のライトトンネル本体４１に対し、図示しない光源ランプ２９からの白色光が入射される、図中右手前側の入射開口内に一組の反射部４８ａ〜４８ｅを挿入して支持固定することで構成される。  
反射部４８ａ〜４８ｅ、例えば表面全面が反射面となるように鏡面加工された計８枚のアルミニウム等の金属薄板を組み合わせて構成される。
【００９８】
図９（Ｂ）は、ライトトンネル本体４１の入射開口内に上記反射部４８ａ〜４８ｅを挿入して支持固定した状態のライトトンネル３１を示す。ここで反射部４８ａ〜４８ｅは、図示する如く光軸に垂直な断面での形状が、矩形の光路と相似形の反射部４８ａを中心とし、この反射部４８ａの各角部から最寄りの光路角部までを放射状に接続する４片４８ｂ〜４８ｅを一体に形成したものであり、ライトトンネル３１内の矩形の光路を計５個の空間、すなわち光路の中心部とその上下左右４つの周辺部とに分割する。
【００９９】
このような構成にあって、光源ランプ２９及びリフレクタ２８からの光がこのライトトンネル３１に入射される際、その光束はまず反射部４８ａ〜４８ｅにより光路の中心部とその上下左右４つの周辺部の計５つの空間に分割され、夫々の分割された空間内で反射部４８ａ〜４８ｅとライトトンネル本体４１の内面により短い距離での反射を繰返す。
【０１００】
このとき、光源ランプ２９から直接入射される、比較的光軸に平行な光は少ない反射回数で当該空間を通過するのに比して、一旦リフレクタ２８で反射されてからこのライトトンネル３１に入射される光は、光軸に対して大きく偏向しており、その偏向の度合いが大きい程、当該空間内で多く反射を繰返すことになり、これらの光が混在することで５つの各分割空間毎に光束の輝度分布の均一化が図られる。
【０１０１】
その後、上記反射部４８ａ〜４８ｅで分割された計５つの空間を抜けた各光束が、ライトトンネル本体４１の光路後半で今度は一つの空間内で適宜壁面で反射してから出射することで、光束全体での輝度分布の均一化が図られることとなり、後段の図示しないミラー３２、モータ３３を介してマイクロミラー素子２７へ供される。
【０１０２】
このように、入射開口側に反射部４８ａ〜４８ｅを設けることで、反射部４８ａ〜４８ｅがない場合に比して光束の輝度分布の均一化をより促進することができる。そのため、一定の輝度分布の均一化が得られればよいのであれば、ライトトンネル３１の軸方向の寸法をより短縮することが可能となる。
【０１０３】
なお、上記第１乃至第７の構成例はいずれも、中空のライトトンネル本体４１の入射開口内に各種形状の反射部４２〜４８を配置してライトトンネル３１としたものであるが、光路がガラス、プラスチック等の透光部材で構成され、入射、出射の両開口を除く周面を反射面としたロッドインテグレータ等でも同様の構成とすることが可能であり、光路を形成する透光部材の屈折率により、空路が中空となるライトトンネルに比して、より効率よく光束の輝度分布の均一化を実施することかできる。
【０１０４】
その場合、反射部は透光部材内に埋設するものとすれば、反射部自体はライトトンネルの場合のように機械的な支持構造を有する必要がなく、より薄い金属薄膜等により構成することで、その断面積を小さくして光路中の抵抗を小さくすることができる。
【０１０５】
また、透光部材の屈折率を適正に選定することで、金属薄膜に代えて空気層を形成することでも反射部を形成することができ、反射部の形状の自由度をより向上することができる。
【０１０６】
例えばロッドインテグレータでは、上記図９の第７の構成例における反射部４８ａ〜４８ｅから周辺側の反射部４８ｂ〜４８ｅを取り去って反射部４８ａのみによる構成を実現することも可能となる。
【０１０７】
そのようなロッドインテグレータの場合、光源側から入射した光束は反射部４８ａにより中心部とその周辺部とに分割され、夫々の分割された空間内で輝度分布の均一化が図られた後、その分割空間を抜け、光路後半で今度は一つの空間内で適宜壁面で反射してから出射することで、光束全体での輝度分布の均一化が図られることとなる。
【０１０８】
また特に上記図４の第２の構成例、図６の第４の構成例は、上記図３の第１の構成例、図５の第３の構成例を光軸方向に沿って複数配置したものと解釈することもできる。
【０１０９】
そのような構成とした場合、最終的に出射される光束全体の輝度分布の均一化をより効率的に実施することができるため、一定の輝度分布の均一化が得られればよいのであれば、軸方向の寸法をさらにより短縮することが可能となる。
【０１１０】
さらに、上記図９の第７の構成例における反射部４８ａ〜４８ｅは、中央の反射部４８ａ単体に対し、上記図７の第５の構成例の反射部４６を部分的に組み合わせたものとも解釈することができる。
【０１１１】
このように複数種類の形状の反射部をそれぞれ少なくとも部分的に組み合わせた構造とすることで、光源側から入射する光束の輝度分布パターン等にも対応して、軸方向の寸法を短縮しながらも充分輝度分布が均一なライトトンネルやロッドインテグレータを実現できる。
【０１１２】
［第８の構成例］  
図１０は、本実施の形態に係るライトトンネル３１の第８の構成例を示すものである。  
同図に示すようにこの第８の構成例でライトトンネル３１は、その内面全面が反射面とされ、上記投影レンズ１２で投影する光像と同一のアスペクト比、例えば縦３：横４の矩形の入射開口及び出射開口を形成し、且つ軸方向の中央部で、相似の矩形ながら縦横の寸法を夫々狭めるようにして、結果として中央部が括れた矩形筒形状としている。
【０１１３】
このような構成とすることで、光源ランプ２９及びリフレクタ２８から入射される光束を構成する個々の光は、入射開口から中央の括れた位置に到達するまでの徐々に光路が狭くなる前半部分において、上下左右４面の各内面で反射される毎に、光軸に対する傾斜角度（の絶対値）が、光軸と各内面の平面との差の角度の２倍分ずつ加算されていき、光軸方向に移動する成分が減少する一方で、光軸と直交する面上で移動する成分が増加して、全体に均一化されながら光束が凝縮されることとなる。
【０１１４】
その後、中央の最も括れた部分を通過した光束を構成する個々の光は、今度は中央から出射開口に至るまでの徐々に光路が広くなる後半部分において、上下左右４面の各内面で反射される毎に、光軸に対する傾斜角度（の絶対値）が、光軸と各内面の平面との差の角度の２倍分ずつ減算されていき、光軸方向に移動する成分が増加する一方で、光軸と直交する面上で移動する成分が減少して、全体に均一化されながら光束が拡散されることとなる。
【０１１５】
結果としてこのライトトンネル３１の出射開口より出射される光束を構成する個々の光は、ライトトンネル３１の前半部分と後半部分とで同一回数反射されるもので、光束の輝度分布が非常に効率的に均一化されたものとなって、後段の図示しないミラー３２、モータ３３を介してマイクロミラー素子２７へ供される。
【０１１６】
このように、ライトトンネル３１内の光路をその軸方向の中央部で入射開口、出射開口と相似な矩形の断面形状を保ちながら、縦横の各寸法が小さくなるものとして中央が直線的に括れた形状とすることで、上記図１２に示したような全体が矩形柱状の（換言すれば「寸胴」の）ライトトンネルに比して、光束の輝度分布の均一化をより促進することができる。そのため、一定の輝度分布の均一化が得られればよいのであれば、ライトトンネル３１の軸方向の寸法をより短縮することが可能となる。
【０１１７】
なお、上記図１０に示したライトトンネル３１の構成に限るのではなく、図１１の他の構成例に示すようにライトトンネル３１の中央の縦方向の寸法は縮めることなく、横方向の寸法のみを縮めるものとしてもよい。
【０１１８】
これは、表現を変えれば、軸方向の中央部の光路の断面形状である矩形が、１組の対辺（この場合、上下の各辺）のみその寸法が上記両開口に比して縮められるもので、このライトトンネル３１を通過する高速を構成する個々の光は、上下の各内面で反射される場合は光軸に対する傾斜角（の絶対値）を変えることがない反面、左右各内面で反射される場合は光軸に対する傾斜角（の絶対値）を上記図１０の字後同様にその前半部分と後半部分とで夫々変えるようになる。
【０１１９】
したがって、このライトトンネル３１の出射開口より出射される光束を構成する個々の光は、ライトトンネル３１の前半部分と後半部分とで同一回数反射されるもので、特に光束の横（左右）方向の輝度分布がより効率的に均一化されたものとなって、後段の図示しないミラー３２、モータ３３を介してマイクロミラー素子２７へ供されることとなる。
【０１２０】
このように、上記第１乃至第７で示したライトトンネル３１の如く光路内の入射開口側に反射部を用いずとも、ライトトンネルの形状自体を中央が括れた形状とすることで、光束の輝度分布の均一化をより促進することができる。そのため、一定の輝度分布の均一化が得られればよいのであれば、ライトトンネル３１の軸方向の寸法をより短縮することが可能となる。
【０１２１】
なお、この図１０の第８の構成例、及び図１１の第８の他の構成例においても、中空のライトトンネル３１のみならず、光路が透光部材で構成されたロッドインテグレータでも同様に構成することが可能となる。
【０１２２】
以上、ライトトンネル３１の各種構成例を多数説明したが、このような構成とすることでライトトンネル３１の短縮かが可能となったことにより、光源部の構成が全体の大きさを左右するプロジェクタ装置１０の小型化に大きく寄与することが可能となる。
【０１２３】
なお、上記実施の形態は、輝度分布を均一化した光束により光像を形成する光変調送素子（ＳＯＭ）としてマイクロミラー素子２７を用いたプロジェクタ装置１０の場合について説明したが、本発明はこれに限らず、透過型の液晶表示パネルを用いるような、所謂、液晶プロジェクタにも同様に適用可能であることは勿論である。
【０１２４】
その他、本発明は上記実施の形態に限らず、その要旨を逸脱しない範囲内で種々変形して実施することが可能であるものとする。
【０１２５】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【０１２６】
【図１】本発明の実施の一形態に係るプロジェクタ装置の外観構成を示す斜視図。
【図２】同実施の形態に係る電子回路の機能構成を示すブロック図。
【図３】同実施の形態に係るライトトンネルの第１の構成例を示す斜視図。
【図４】同実施の形態に係るライトトンネルの第２の構成例を示す斜視図。
【図５】同実施の形態に係るライトトンネルの第３の構成例を示す斜視図。
【図６】同実施の形態に係るライトトンネルの第４の構成例を示す斜視図。
【図７】同実施の形態に係るライトトンネルの第５の構成例を示す斜視図。
【図８】同実施の形態に係るライトトンネルの第６の構成例を示す斜視図。
【図９】同実施の形態に係るライトトンネルの第７の構成例を示す斜視図。
【図１０】同実施の形態に係るライトトンネルの第８の構成例を示す斜視図。
【図１１】同実施の形態に係るライトトンネルの第８の他の構成例を示す斜視図。
【図１２】一般的なライトトンネルの構成例を示す斜視図。
【符号の説明】
【０１２７】
１…ライトトンネル、１０…プロジェクタ装置、１１…本体ケーシング、１２…投影レンズ、１３…測距センサ、１４…Ｉｒ受信部、１５…キースイッチ部、１６…スピーカ、２１…入出力コネクタ部、２２…入出力インタフェース（Ｉ／Ｆ）、２３…画像変換部、２４…投影エンコーダ、２５…ビデオＲＡＭ、２６…投影駆動部、２７…マイクロミラー素子、２８…リフレクタ、２９…光源ランプ、３０…カラーホイール、３１…ライトトンネル、３２…ミラー、３３…モータ（Ｍ）、３４…投影光処理部、３５…制御部、３６…測距処理部、３７…音声処理部、３８…Ｉｒ受信部、４１…ライトトンネル本体、４２，４３ａ，４３ｂ，４４ａ，４４ｂ，４５ａ〜４５ｄ，４６，４７ａ，４７ｂ，４８ａ〜４８ｅ…反射部、Ｌ…光、ＬＸ…光軸、ＳＢ…システムバス。
【図１】
2006308678.tif 000003
【図２】
2006308678.tif 000004
【図３】
2006308678.tif 000005
【図４】
2006308678.tif 000006
【図５】
2006308678.tif 000007
【図６】
2006308678.tif 000008
【図７】
2006308678.tif 000009
【図８】
2006308678.tif 000010
【図９】
2006308678.tif 000011
【図１０】
2006308678.tif 000012
【図１１】
2006308678.tif 000013
【図１２】
2006308678.tif 000014